(57)【要約】      （修正有）【課題】書類を挟んで綴じるクリップに関し、書類同士がぴったり重なったり、或いはクリップが他の書類に引っかかり抜けることを防止するためのものである。【解決手段】第一の平面部４０と第二の平面部５０とを備え、両平面部４０,５０がそれぞれ一端側で接続され、両平面部４０,５０の他端側が互いに近づく方向に常時付勢され、両平面部４０,５０間に挟まれた書類等を保持する保持部２０を備えたクリップ１０である。第一の平面部４０及び第二の平面部５０の少なくとも一方には、当該平面部４０,５０以外の方向に向いた凸部３０を備えた。凸部３０は、保持部２０とは別体の部品であって、保持部２０に取り付けられるものでも良い。凸部３０は、保持部２０に対し相対移動可能に取り付けられたものでも良い。凸部３０は、保持部２０に対し固定されたものでも良い。【選択図】図１
2011235492.tif 000002
【特許請求の範囲】
【請求項１】
第一の平面部と第二の平面部とを備え、両平面部がそれぞれ一端側で接続され、両平面部の他端側が互いに近づく方向に常時付勢され、両平面部間に挟まれた書類等を保持する保持部を備えたクリップであって、
第一の平面部及び第二の平面部の少なくとも一方には、当該平面以外の方向に向いた凸部を備えたクリップ。
【請求項２】
請求項１に記載のクリップであって、凸部は、保持部とは別体の部品であって、保持部に取り付けられたクリップ。
【請求項３】
請求項２に記載のクリップであって、凸部は保持部に対し相対移動可能に取り付けられたクリップ。
【請求項４】
請求項２に記載のクリップであって、凸部は保持部に対し固定されたクリップ。
【請求項５】
請求項１に記載のクリップであって、凸部は第一の平面部及び第二の平面部の少なくとも一方を変形させて設けられたクリップ。
【請求項６】
請求項５に記載のクリップであって、凸部は第一の平面部及び第二の平面部の少なくとも一方を捻って形成されたクリップ。
【請求項７】
請求項５に記載のクリップであって、凸部は第一の平面部及び第二の平面部の少なくとも一方を反らせて形成されたクリップ。
【請求項８】
請求項１〜７のいずれか１項に記載のクリップであって、凸部は平面部における前記一端とその他端との間に設けられたクリップ。
【請求項９】
請求項１〜７のいずれか１項に記載のクリップであって、凸部は平面部における前記一端の他端及びその近傍のいずれかに設けられたクリップ。
【請求項１０】
請求項３に記載のクリップであって、凸部は保持部に対して相対移動する際に音を発する報知部を備えたクリップ。
【発明の詳細な説明】
【技術分野】
【０００１】
本発明は書類を挟んで綴じる、いわゆるクリップに関する。
【背景技術】
【０００２】
従来、クリップは、一般的に二つの平面部を備え、両平面部の一端側が互いに近づく方向に常時付勢され、両平面部間に挟まれた書類等を保持するものが知られている（例えば特許文献１の段落番号「０００２」、「０００６」及び図１〜４参照）。
上記した従来のクリップにおいて、書類を綴じた状態で書類の外側となる部分に、つまみ部を設けていたものも知られている（特許文献１の段落番号「０００６」及び図１〜４参照）。
【先行技術文献】
【特許文献】
【０００３】
【特許文献１】特開2006-213046号公報
【発明の概要】
【発明が解決しようとする課題】
【０００４】
しかし、上記した従来のクリップにおいて、つまみ部を設けたものは、当該つまみ部が書類からはみ出てしまうため、書類の束をファイルやフォルダ、クリアファイルに収めた場合、つまみ部がこれらのファイルなどからはみ出てしまったり、収められなかったりすることがあったという問題点があった。
そもそも、上記した従来の一般的なクリップでは、その平面部が書類にぴたりと貼り付いた状態になっているため、クリップで綴じられた書類の束を他の書類や他の書類の束の上で摺動かしたりすると、これらの書類や書類の束もクリップ内（二つの平面部内）に収まってしまうということがあった。
【０００５】
これにより、利用者が企図しない書類も束ねられてしまうということがあり、無理に利用者が企図した書類の束のみを取り出そうとする場合に書類が傷ついてしまうことすらあった。
【０００６】
また、上記した従来の一般的なクリップでは、その平面部が書類にぴたりと貼り付いた状態になっているため、クリップで綴じられた複数の書類の束を平置きしたとき、上下の書類の束間に隙間がほとんどないため、利用者が欲する書類の束のみを取り出すことが困難な場合があった。
【０００７】
さらに、上記した従来の一般的なクリップでは、その平面部が書類にぴたりと貼り付いただけの構成であるため、書類から外すときに指掛りになる部分が少なく外しづらいという問題もあった。
【０００８】
本発明は、上記した点に着目し、平面部が書類にぴたりと貼り付くことのないクリップを提供することを目的とする。
【課題を解決するための手段】
【０００９】
本発明は、第一の平面部と第二の平面部とを備え、両平面部がそれぞれ一端側で接続され、両平面部の他端側が互いに近づく方向に常時付勢され、両平面部間に挟まれた書類等を保持する保持部を備えたクリップであって、第一の平面部及び第二の平面部の少なくとも一方には、当該平面以外の方向に向いた凸部を備えた。
凸部は、保持部とは別体の部品であって、保持部に取り付けられた。
【００１０】
凸部は、保持部に対し相対移動可能に取り付けられた。
凸部は、保持部に対し固定された。
凸部は、第一の平面部及び第二の平面部の少なくとも一方を変形させて設けられた。
凸部は、第一の平面部及び第二の平面部の少なくとも一方を捻って形成された。
凸部は、第一の平面部及び第二の平面部の少なくとも一方を反らせて形成された。
凸部は、平面部における前記一端とその他端との間に設けられた。
凸部は、平面部における一端の他端及びその近傍のいずれかに設けられた。
凸部は、保持部に対して相対移動する際に音を発する報知部を備えた。
【発明の効果】
【００１１】
本発明によれば、書類同士がぴったり重なるのを防ぎ、クリップが他の書類に引っかかり抜けることが防げる。
また、本発明によれば、書類同士がぴったり重なるのを防ぎ、どこまでがひとつの書類か分かる。
さらに、本発明によれば、ファイルやフォルダに収めてもはみ出ず、クリアファイルにも入れられる。
【００１２】
また、本発明によれば、凸部が指掛りになり紙から外しやすい。
【図面の簡単な説明】
【００１３】
【図１】クリップの斜視図である。
【図２】クリップの正面図である。
【図３】クリップの左側面図である。
【図４】クリップの右側面図である。
【図５】クリップの平面図である。
【図６】クリップの底面図である。
【図７】本発明の第２の実施の形態を示し、同図はクリップの斜視図である。
【図８】図７の正面図である。
【図９】図８の左側面図である。
【図１０】図８の右側面図である。
【図１１】図８の平面図である。
【図１２】図８の底面図である。
【図１３】本発明の第３の実施の形態を示し、同図はクリップの斜視図である。
【図１４】図１３の他の斜視図である。
【図１５】図１３の正面図である。
【図１６】図１５の左側面図である。
【図１７】図１５の右側面図である。
【図１８】図１５の平面図である。
【図１９】図１５の底面図である。
【図２０】本発明の第４の実施の形態を示し、同図はクリップの斜視図である。
【図２１】図２０の正面図である。
【図２２】図２１の左側面図である。
【図２３】図２１の右側面図である。
【図２４】図２１の平面図である。
【図２５】図２１の底面図である。
【図２６】本発明の第５の実施の形態を示し、同図はクリップの一部と凸部との斜視図である。
【図２７】図２６の凸部を取り付けた状態のクリップの一部の斜視図である。
【発明を実施するための形態】
【００１４】
（クリップ10）
図１〜６を用いて、本発明の第１の実施の形態について説明する。
図１中、10はクリップを示し、当該クリップ10は、図示しないが、書類や書類の束（以下、「書類等」という。）を挟むために用いられるものである。
具体的には、クリップ10は、図１に示すように、大別すると、次の各部を備える。
【００１５】
なお、次の（１）及び（２）については、後述する。
（１）保持部20
（２）凸部30
なお、クリップ10の各部は、上記した（１）及び（２）に限定されない。
【００１６】
（保持部20）
保持部20は、図１に示すように、後述する第一の平面部40と第二の平面部50とを備え、両平面部40,50がそれぞれ一端側で接続され、両平面部40,50の他端側が互いに近づく方向に常時付勢され、両平面部40,50間に挟まれた書類等（図示せず）を保持するものである。
【００１７】
保持部20は、いわゆる「ゼムクリップ」と呼ばれ、針金状の金属製の線材を曲げて製造される。具体的には、図示しないが、直線の線材を、ワイヤーフォーミングマシンにて曲げている。
なお、保持部20の全体の平面形状を長円形に形成したが、これに限定されず、トランプのスペード形、ハート形、ダイヤ形、クローバ形、或いは動物形、植物形、自動車等の乗り物形、建物形に形成しても良い。
【００１８】
（凸部30）
凸部30は、図１に示すように、第一の平面部40及び第二の平面部50の少なくとも一方、例えば第二の平面部50に備えられ、当該平面部40,50と同一平面を形成しない方向に向いたものである。
【００１９】
具体的には、凸部30には、図１に示すように、大別すると、次の構成を備える。
なお、次の（１）〜（３）については、後述する。
（１）変形部31
（２）リング部材32（報知部）
（３）装飾部材33（報知部）
なお、凸部30を、上記した（１）〜（３）から構成したが、これに限定されず、変形部31単独で凸部30を構成しても良いし、又、装飾部材33を省略し、変形部31及びリング部材32から凸部30を構成しても良いし、或いはリング部材32を省略し、変形部31及び装飾部材33から凸部30を構成しても良い。また、凸部30の構成は、上記した（１）〜（３）に限定されない。
【００２０】
（第一の平面部40）
第一の平面部40は、図１に示すように、大別すると、次の各部から構成されている。
なお、第一の平面部40の各部は、次の（１）〜（３）に限定されない。
【００２１】
（１）第１棒状部41
第１棒状部41は、図１において上下方向に直線状に延びている。
【００２２】
（２）第１屈曲部42
第１屈曲部42は、図１において第１棒状部41の下端部に連続し、略「Ｕ」字形に屈曲している。
【００２３】
（３）第２棒状部43
第２棒状部43は、図１において第１屈曲部42の右側端部に連続し、上方に向かって直線状に延び、先端部が自由端部となっている。
【００２４】
（第二の平面部50）
第二の平面部50は、図１に示すように、第一の平面部40より一回り大きな平面を成し、大別すると、次の各部から構成されている。
なお、第二の平面部50の各部は、次の（１）〜（４）に限定されない。
【００２５】
（１）第２屈曲部51
第２屈曲部51は、図１において第１棒状部41の上端部に連続し、略「Ｕ」字形に屈曲している。
【００２６】
（２）第３棒状部52
第３棒状部52は、図１において第２屈曲部51の右側端部に連続し、下方に向かって直線状に延びている。第３棒状部52は、第２棒状部43の外側に位置し、当該第２棒状部43に接した状態で平行に延びている。
【００２７】
（３）第３屈曲部53
第３屈曲部53は、図１において第３棒状部52の下端部に連続し、略「Ｕ」字形に屈曲している。第３屈曲部53は、第１屈曲部42から下方に離れて位置する。第３屈曲部53は、中央で一部重なりあう、第１半部53aと第２半部53bとから構成されている。
【００２８】
（４）第４棒状部54
第４棒状部54は、図１において第３屈曲部53の左側端部に連続し、上方に向かって直線状に延び、先端部が自由端部となっている。第４棒状部54は、第１棒状部41の外側に位置し、当該第１棒状部41に接した状態で平行に延びている。
【００２９】
（変形部31）
変形部31は、第二の平面部50の第３屈曲部53を第二の平面部50の外側、すなわち図１において下方に向かってループ状或いはリング状に変形、すなわち捻って形成したものであ
り、第３屈曲部53に連続している。
【００３０】
（リング部材32）
リング部材32は、保持部20とは別体に形成され、保持部20と同様に針金状の金属製の線材をリング状に曲げて製造されている。リング部材32は、変形部31のループ内に通されて連結されている。
【００３１】
（装飾部材33）
装飾部材33は、保持部20及びリング部材32とは別体に形成され、板金を星形にくり抜いて製造されている。
装飾部材33の端部、図１において上端部には、環状部34を形成し、当該環状部34にリング部材32を通し、リング部材32に連結されてる。装飾部材33は、最終的には、リング部材32を介して変形部31に連結されている。
【００３２】
装飾部材33は、図１に示すように、リング部材32とともに、変形部31からつり下がった状態で支持され、装飾部材33がリング部材32、変形部31、保持部20に当たることで、「カチャカチャ」と音が発生し、装飾部材33やリング部材32は、保持部20に対して相対移動する際に音を発する報知部として機能する。
【００３３】
なお、装飾部材33として、星形を例示したが、これに限定されず、トランプのスペード形、ハート形、ダイヤ形、クローバ形、或いは動物形、植物形、自動車等の乗り物形、建物形に形成しても良い。また、装飾部材33を、板金をくり抜いて平面的に形成したが、これに限定されず、立体的に形成したり、又、板金にも限定されず、プラスチック、ゴム、ガラス、木材、石等で形成したり、或いはこれらの材料を複合的に使用して形成しても良い。
【００３４】
（使用方法）
上記した構成を備えるクリップ10の使用方法について説明する。
まず、保持部20の第一の平面部40と第二の平面部50との間に、図示しないが、書類等を差し込む。このとき、第一の平面部40と第二の平面部50とが、書類等の表裏面に押され、線材のバネ力に抗して、互いに離隔し、書類等を挟んだ状態で、バネ復元力により、書類等の表裏面から挟んだ状態で保持する。
クリップ10で保持された状態の書類等の表裏面に、図示しないが、他の書類等を重ねると、重なり合う両者の書類等の間に、凸部30が位置する。
このため、図示しないが、凸部30の上側に重なった書類等が、下側に位置する書類等の上面にブリッジ状に浮き上がる。
このため、図示しないが、上側に重なった書類等と、下側に位置する書類等とが分離され、上側に重なった書類等を取ったり、或いは下側に位置する書類等を抜き取ったりすることができる。
【００３５】
なお、書類等が上下に重なり合った場合を例に挙げて説明したが、書類等が左右方向に重なり合った場合も同様であり、凸部30を介して左右の書類等を明確に分離することができる。
【００３６】
つぎに、図示しないが、上下に重なり合った２個の書類等のうち、一方若しくは両方をクリップ10で留め付けた状態において、上側に重なった書類等を、下側に位置する書類等の上面に沿ってずらしたり、或いは下側に位置する書類等を上側に重なった書類等の下面に沿ってずらしたりした場合について説明する。
【００３７】
凸部30の無い一般的なゼムクリップの場合には、ゼムクリップに向かって書類等をずらすと、ずらした書類等がゼムクリップに挟まってしまい、上下に重なり合った２個の書類等がつながってしまうことがあった。
これに対し、凸部30を有するクリップ10の場合には、ずらした書類等が凸部30に乗り上がるなどして、ずらした書類等が保持部20に挟まるのを防止することができる利点がある。
【００３８】
（第２の実施の形態）
つぎに、図７〜１２を用いて、本発明の第２の実施の形態について説明する。
本実施の形態の特徴点は、図７に示すように、凸部100の変形部101を、第二の平面部50の内側、すなわち第一の平面部40の第１屈曲部42に向かって、同図にあっては上方に向かって、第二の平面部50の第３屈曲部53をループ状或いはリング状に捻って形成した点にある。
なお、本実施の形態の説明においては、先に図１〜６を用いて説明した第１の実施の形態と同一の構成部分については、同一の符号を付して説明を省略する。
【００３９】
（第３の実施の形態）
つぎに、図１３〜１９を用いて、本発明の第３の実施の形態について説明する。
本実施の形態の特徴点は、図１３及び図１４に示すように、凸部110の変形部111を、第二の平面部50の両端部の間、或いは両端部の一方の端部の近傍に形成した点にある。
すなわち、変形部111は、図１３及び図１４に示すように、第一の平面部40の第４棒状部54の長さの途中を、第一の平面部40の外側、すなわち同図にあっては左側に向かって、ループ状或いはリング状に捻って形成したものである。
なお、変形部111に、先に図１〜６を用いて説明した第１の実施の形態と同様に、リング部材32や装飾部材33を取り付けても良い。
【００４０】
また、本実施の形態の説明においては、先に図１〜６を用いて説明した第１の実施の形態と同一の構成部分については、同一の符号を付して説明を省略する。
さらに、変形部111を、第一の平面部40の第４棒状部54に形成したが、これに限定されず、第３棒状部52に形成しても良い。また、変形部111を、第一の平面部40の外側に向かって形成したが、これに限定されず、第一の平面部40の内側に向かって形成しても良い。
【００４１】
（第４の実施の形態）
つぎに、図２０〜２５を用いて、本発明の第４の実施の形態について説明する。
本実施の形態の特徴点は、図２０に示すように、凸部120を、第二の平面部50を反らせて形成した点にある。
すなわち、凸部120は、図２０〜２５に示すように、第二の平面部50の第３屈曲部53自体を反らせて形成している。凸部120は、図２２及び図２３に示すように、左右方向の側面から見ると、アルファベットの大文字の略「Ｕ」の字形に屈曲させている。凸部120は、図２４及び図２５に示すように、上下方向の平面から見ると、アルファベットの大文字の略「Ｍ」の字形に屈曲させている。
【００４２】
なお、凸部120に、先に図１〜６を用いて説明した第１の実施の形態と同様に、リング部材32や装飾部材33を取り付けても良い。
また、本実施の形態の説明においては、先に図１〜６を用いて説明した第１の実施の形態と同一の構成部分については、同一の符号を付して説明を省略する。
さらに、凸部120を、第二の平面部50の第３屈曲部53自体を反らせて形成したが、これに限定されず、図示しないが、第３屈曲部53を延長し、凸部120を第３屈曲部53とは別に形成しても良い。また、凸部120を、第二の平面部50の第３屈曲部53の位置に形成したが、これに限定されず、第２屈曲部51、第３棒状部52、第４棒状部54の位置に形成しても良いし、又、第二の平面部50に加えて第一の平面部40の位置に形成しても良いし、或いは第一の平面部40の位置だけに形成しても良い。さらに、凸部120を、第二の平面部50の第３屈曲部53の一箇所に形成したが、これに限定されず、複数の箇所に形成しても良い。また、凸部120を、側面から見て「Ｕ」の字形、平面から見て「Ｍ」の字形に反らせて形成したが、これらに限定されない。
【００４３】
（第５の実施の形態）
つぎに、図２６及び図２７を用いて、本発明の第５の実施の形態について説明する。
本実施の形態の特徴点は、図２６及び図２７に示すように、凸部130を保持部20とは別体の部品から構成し、当該凸部130を保持部20に取り付けた点にある。
すなわち、凸部130は、図２６及び図２７に示すように、後述する筒部材140、並びに先に図１〜６を用いて説明した第１の実施の形態において説明したリング部材32及び装飾部材33から構成している。
【００４４】
筒部材140は、保持部20とは別体に形成され、クリップ10の線材を通すことができるものであり、中空な筒形に形成されている。
具体的には、筒部材140は、円筒形に形成され、適度な弾性と剛性とを有するプラスチックやゴム等に成形される。筒部材140の内径は、クリップ10の線材の外径と同じかやや小さくに設定している。
【００４５】
筒部材140の外周には、リング部材32を通すことができるように、ループ部141を形成している。装飾部材33は、リング部材32を介して、筒部材140に取り付けられる。
筒部材140に、弾性材料を使用した第１の理由は、図２７に示すように、クリップ10の線材に通した状態で、その棒状部分や屈曲部分に沿って筒部材140を移動することができるようにするためのである。筒部材140の移動位置は、好ましくは第二の平面部50の第４棒状部54、第３屈曲部53、第３棒状部52、第２屈曲部51が良いが、これに限定されず、第一の平面部40に移動しても良い。また、筒部材140に、弾性材料を使用した第２の理由は、筒部材140の内径をクリップ10の線材の外径よりも小さくに設定することで、筒部材140が不用意に線材に沿って移動しようないようにするためのである。
【００４６】
なお、筒部材140を、弾性を有するプラスチックやゴムにより成形したが、これに限定されず、弾性の無いプラスチックを使用したり、或いは金属製としたりしても良い。
本実施の形態によれば、既存のゼムクリップに、凸部130を取り付けたり、取り外したり、或いは交換することができる。また、本実施の形態によれば、凸部130をクリップ10の線材に沿って移動させることで、好みの位置に凸部130を移動することができる。
【００４７】
なお、クリップ10に、１個の凸部130を取り付けたが、図示しないが、複数個の凸部130を取り付けることも可能である。
【符号の説明】
【００４８】
（第１の実施の形態）
10  クリップ
20  保持部                    30  凸部
31  変形部                    32  リング部材（報知部）
33  装飾部材（報知部）        34  環状部
40  第一の平面部
41  第１棒状部                42  第１屈曲部
43  第２棒状部
50  第二の平面部
51  第２屈曲部                52  第３棒状部
53  第３屈曲部
53a 第１半部                 53b  第２半部
54  第４棒状部
（第２の実施の形態）
100  凸部                     101  変形部
（第３の実施の形態）
110  凸部                     111  変形部
（第４の実施の形態）
120  凸部
（第５の実施の形態）
130  凸部
140  筒部材                   141  ループ部
【図１】
2011235492.tif 000003
【図２】
2011235492.tif 000004
【図３】
2011235492.tif 000005
【図４】
2011235492.tif 000006
【図５】
2011235492.tif 000007
【図６】
2011235492.tif 000008
【図７】
2011235492.tif 000009
【図８】
2011235492.tif 000010
【図９】
2011235492.tif 000011
【図１０】
2011235492.tif 000012
【図１１】
2011235492.tif 000013
【図１２】
2011235492.tif 000014
【図１３】
2011235492.tif 000015
【図１４】
2011235492.tif 000016
【図１５】
2011235492.tif 000017
【図１６】
2011235492.tif 000018
【図１７】
2011235492.tif 000019
【図１８】
2011235492.tif 000020
【図１９】
2011235492.tif 000021
【図２０】
2011235492.tif 000022
【図２１】
2011235492.tif 000023
【図２２】
2011235492.tif 000024
【図２３】
2011235492.tif 000025
【図２４】
2011235492.tif 000026
【図２５】
2011235492.tif 000027
【図２６】
2011235492.tif 000028
【図２７】
2011235492.tif 000029